【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
２枚以上のシートを互いに貼り合わせて構成される積層体を製造する方法において、
前記シートを互いに貼り合わせる前に、積層体にしたとき表面にならない面であって、
積層体の断裁後に積層体の側縁面に露出し且つ平面視で積層体の中央から偏った位置に、加熱により消色する着色剤を適用して着色する着色工程と、
この着色工程の後、前記シートを貼り合わせて積層体を製造する貼り合わせ工程と、
を備えることを特徴とする積層体の製造方法。
【請求項２】
２枚以上のシートを互いに貼り合わせて構成される積層体を製造する方法において、
前記シートを互いに貼り合わせる前に、積層体にしたとき表面にならない面であって、
積層体の断裁後に積層体の側縁面に露出し且つ平面視で積層体の中央から偏った位置に、加熱条件の制御により発色と消色とを繰り返す可逆性着色剤を適用して着色する着色工程と、
この着色工程の後、前記シートを貼り合わせて積層体を製造する貼り合わせ工程と、
積層体を加熱して前記可逆性着色剤を発色させる発色工程と、
を備えることを特徴とする積層体の製造方法。
【請求項３】
２枚以上のシートを互いに貼り合わせて構成される積層体を多面付けして製造する方法において、
前記シートを互いに貼り合わせる前に、カードにしたとき表面にならない面であって、個々の積層体に断裁したときに個々の積層体の側縁面に露出し且つ平面視で積層体の中央から偏った位置に、加熱により消色する着色剤を適用して着色する着色工程と、
この着色工程の後、前記シートを貼り合わせて積層体を製造する貼り合わせ工程と、
個々の積層体に断裁して、前記着色部を個々の積層体の側縁面に露出させる断裁工程と、
を備えることを特徴とする積層体の製造方法。
【請求項４】
２枚以上のシートを互いに貼り合わせて構成される積層体を多面付けして製造する方法において、
前記シートを互いに貼り合わせる前に、積層体にしたとき表面にならない面であって、
個々の積層体に断裁したときに個々の積層体の側縁面に露出し且つ平面視で積層体の中央から偏った位置に、加熱条件の制御により発色と消色とを繰り返す可逆性着色剤を適用して着色する着色工程と、
この着色工程の後、前記シートを貼り合わせて積層体を製造する貼り合わせ工程と、
個々の積層体に断裁して、前記着色部を個々の積層体の側縁面に露出させる断裁工程と、
積層体を加熱して前記可逆性着色剤を発色させる発色工程と、
を備えることを特徴とする積層体の製造方法。
【請求項５】
前記着色剤をディスペンサーを使用して適用することを特徴とする請求項１〜４のいずれかに記載の積層体の製造方法。
【手続補正２】
【補正対象書類名】明細書
【補正対象項目名】００１０
【補正方法】変更
【補正の内容】
【００１０】
すなわち、請求項１に記載の発明は、２枚以上のシートを互いに貼り合わせて構成される積層体を製造する方法において、
前記シートを互いに貼り合わせる前に、積層体にしたとき表面にならない面であって、
積層体の断裁後に積層体の側縁面に露出し且つ平面視で積層体の中央から偏った位置に、加熱により消色する着色剤を適用して着色する着色工程と、
この着色工程の後、前記シートを貼り合わせて積層体を製造する貼り合わせ工程と、
を備えることを特徴とする積層体の製造方法である。
【手続補正３】
【補正対象書類名】明細書
【補正対象項目名】発明の名称
【補正方法】変更
【補正の内容】
【発明の名称】積層体の製造方法
【手続補正４】
【補正対象書類名】明細書
【補正対象項目名】００１１
【補正方法】変更
【補正の内容】
【００１１】
この発明によれば、積層体の側縁面に着色部が露出しており、しかも、この着色部が、
平面視で積層体の中央から偏った積層体側縁面に露出しているから、この着色によってその向きを確認することができる。
【手続補正５】
【補正対象書類名】明細書
【補正対象項目名】００１２
【補正方法】変更
【補正の内容】
【００１２】
そして、積層体の向きを確認した後加熱することにより消色するから、その痕跡を残すことがない。また、加熱によって消色することができ、物理的に削り取ったり、あるいは溶剤を使用したりすることがないから、カード表面を損傷するおそれもない。
【手続補正６】
【補正対象書類名】明細書
【補正対象項目名】００１３
【補正方法】変更
【補正の内容】
【００１３】
次に、請求項２に記載の発明は、２枚以上のシートを互いに貼り合わせて構成される積層体を製造する方法において、
前記シートを互いに貼り合わせる前に、積層体にしたとき表面にならない面であって、
積層体の断裁後に積層体の側縁面に露出し且つ平面視で積層体の中央から偏った位置に、加熱条件の制御により発色と消色とを繰り返す可逆性着色剤を適用して着色する着色工程と、
この着色工程の後、前記シートを貼り合わせて積層体を製造する貼り合わせ工程と、
積層体を加熱して前記可逆性着色剤を発色させる発色工程と、
を備えることを特徴とする積層体の製造方法である。
【手続補正７】
【補正対象書類名】明細書
【補正対象項目名】００１４
【補正方法】変更
【補正の内容】
【００１４】
この発明によれば、積層体を貼り合わせる工程で消色してしまった場合でも、加熱によって発色させてその向きを確認することが可能となる。
【手続補正８】
【補正対象書類名】明細書
【補正対象項目名】００１５
【補正方法】変更
【補正の内容】
【００１５】
次に、請求項３及び４に係る発明は、積層体を多面付けして製造する方法に係るものである。
【手続補正９】
【補正対象書類名】明細書
【補正対象項目名】００１６
【補正方法】変更
【補正の内容】
【００１６】
すなわち、請求項３に係る発明は、２枚以上のシートを互いに貼り合わせて構成される積層体を多面付けして製造する方法において、
前記シートを互いに貼り合わせる前に、カードにしたとき表面にならない面であって、個々の積層体に断裁したときに個々の積層体の側縁面に露出し且つ平面視で積層体の中央から偏った位置に、加熱により消色する着色剤を適用して着色する着色工程と、
この着色工程の後、前記シートを貼り合わせて積層体を製造する貼り合わせ工程と、
個々の積層体に断裁して、前記着色部を個々の積層体の側縁面に露出させる断裁工程と、
を備えることを特徴とする積層体の製造方法である。
【手続補正１０】
【補正対象書類名】明細書
【補正対象項目名】００１７
【補正方法】変更
【補正の内容】
【００１７】
また、請求項４に係る発明は、２枚以上のシートを互いに貼り合わせて構成される積層体を多面付けして製造する方法において、
前記シートを互いに貼り合わせる前に、積層体にしたとき表面にならない面であって、
個々の積層体に断裁したときに個々の積層体の側縁面に露出し且つ平面視で積層体の中央から偏った位置に、加熱条件の制御により発色と消色とを繰り返す可逆性着色剤を適用して着色する着色工程と、
この着色工程の後、前記シートを貼り合わせて積層体を製造する貼り合わせ工程と、
個々の積層体に断裁して、前記着色部を個々の積層体の側縁面に露出させる断裁工程と、
積層体を加熱して前記可逆性着色剤を発色させる発色工程と、
を備えることを特徴とする積層体の製造方法である。
【手続補正１１】
【補正対象書類名】明細書
【補正対象項目名】００１８
【補正方法】変更
【補正の内容】
【００１８】
次に、請求項５に係る発明は、前記着色剤をディスペンサーを使用して適用することを特徴とする請求項１〜４のいずれかに記載の積層体の製造方法である。
【手続補正１２】
【補正対象書類名】明細書
【補正対象項目名】００１９
【補正方法】変更
【補正の内容】
【００１９】
そして、請求項５に係る発明によれば、ディスペンサーを使用して前記着色剤を適用するため、前記位置に選択的に、しかも正確に着色剤を適用することができる。そして、このため、例えば、多面付けで積層体を製造する際にも、個々の積層体の側縁面に露出し且つ平面視で積層体の中央から偏った位置に確実に適用することができ、その他の位置を非着色のままとすることが可能となる。